(57)【要約】【課題】袋積載装置において、画像形成装置から排出されたバンド付き袋をより均一に位置を揃えて積載することである。【解決手段】袋口２０２を有する袋本体２０４と、袋口を締めるバンド２０６とを備え、バンドが袋口から袋本体の袋幅方向に対して両方向に突出した一対の突出部２０８、２０９を有するバンド付き袋２００を、孔版印刷装置１０で印刷した後、積載する袋積載装置１００であって、袋排出方向に対して下流側を上流側より下方に傾斜させて配置され、バンド付き袋の袋口を袋排出方向に対して略直交方向に向けてバンド付き袋を載置する載置台１０２と、載置台の袋排出方向に対して下流側に配置される第１受け部１０４と、載置台の袋排出方向に対して下流側に配置され、バンド付き袋を受ける第２受け部１０６とを備え、第１受け部は、第２受け部よりバンド付き袋の袋口側に設けられ、第２受け部より袋排出方向に対して下流側に配置される。【選択図】図２
2009256072.tif 000002
【特許請求の範囲】
【請求項１】
袋口を有する袋本体と、前記袋口の周縁に設けられ、前記袋口を締めるバンドと、を備え、前記バンドが前記袋口から前記袋本体の袋幅方向に対して両方向に突出した一対の突出部を有するバンド付き袋に、画像形成装置で画像を形成した後、前記画像形成装置から排出された前記バンド付き袋を積載する袋積載装置であって、
袋排出方向に対して下流側を上流側より下方に傾斜させて配置され、前記バンド付き袋の袋口を袋排出方向に対して略直交方向に向けて前記バンド付き袋を載置する載置台と、
前記載置台の袋排出方向に対して下流側に配置され、前記バンド付き袋を受ける第１受け面を有する第１受け部と、
前記載置台の袋排出方向に対して下流側に配置され、前記バンド付き袋を受ける第２受け面を有する第２受け部と、
を備え、
前記第１受け部は、前記第２受け部より前記バンド付き袋の袋口側に設けられ、前記第２受け部より袋排出方向に対して下流側に配置されることを特徴とする袋積載装置。
【請求項２】
請求項１に記載の袋積載装置であって、
前記載置台に設けられ、前記第１受け部を袋排出方向に対して略平行方向に移動させる第１移動手段と、
前記載置台に設けられ、前記第２受け部を袋排出方向に対して略平行方向に移動させる第２移動手段と、
を備えることを特徴とする袋積載装置。
【請求項３】
請求項２に記載の袋積載装置であって、
前記第１移動手段は、
前記載置台の袋排出方向に対して略平行方向に設けられ、外周面にねじが形成された第１ねじ軸と、
前記第１ねじ軸に螺合して摺動し、前記第１受け部に取り付けられる第１摺動部材と、
前記第１ねじ軸を回転駆動させて、前記第１摺動部材を摺動させる第１駆動体と、
を有し、
前記第２移動手段は、
前記載置台の袋排出方向に対して略平行方向に設けられ、袋排出方向に対して略直交方向に前記第１ねじ軸と所定間隔で配置され、外周面にねじが形成された第２ねじ軸と、
前記第２ねじ軸に螺合して摺動し、前記第２受け部に取り付けられる第２摺動部材と、
前記第２ねじ軸を回転駆動させて、前記第２摺動部材を摺動させる第２駆動体と、
を有することを特徴とする袋積載装置。
【請求項４】
請求項３に記載の袋積載装置であって、
前記第１駆動体と、前記第２駆動体と、を制御する制御部を備え、
前記制御部は、前記第１駆動体を制御して、前記第１ねじ軸を回転駆動させて前記第１摺動部材を摺動させ、前記第２駆動体を制御して、前記第２ねじ軸を回転駆動させて前記第２摺動部材を摺動させ、前記第１受け部を前記第２受け部より袋排出方向に対して下流側に配置させることを特徴とする袋積載装置。
【請求項５】
請求項１から４のいずれか１つに記載の袋積載装置であって、
前記第１受け面の面方向を、前記載置台に積載された前記バンド付き袋の傾斜方向と略同じ向きに補正する第１補正手段と、
前記第２受け面の面方向を、前記載置台に積載された前記バンド付き袋の傾斜方向と略同じ向きに補正する第２補正手段と、
を備えることを特徴とする袋積載装置。
【請求項６】
袋口を有する袋本体と、前記袋口の周縁に設けられ、前記袋口を締めるバンドと、を備え、前記バンドが前記袋口から前記袋本体の袋幅方向に対して両方向に突出した一対の突出部を有するバンド付き袋に、画像形成装置で画像を形成した後、前記画像形成装置から排出された前記バンド付き袋を積載する袋積載装置であって、
袋排出方向に対して下流側を上流側より下方に傾斜させて配置され、前記バンド付き袋の袋口を袋排出方向に対して略直交方向に向けて前記バンド付き袋を載置する載置台と、
前記載置台の袋排出方向に対して下流側に配置され、前記バンド付き袋を受ける受け面を有する受け部と、
を備え、
前記受け面は、袋口側の一端を、前記バンド付き袋の袋口から前記一端より離間した他端より袋排出方向に対して下流側に位置して置かれることを特徴とする袋積載装置。
【発明の詳細な説明】
【技術分野】
【０００１】
本発明は、画像形成装置で画像形成した後、画像形成装置から排出されたバンド付き袋を積載する袋積載装置に関する。
【背景技術】
【０００２】
印刷用紙等に画像を形成する画像形成装置では、印刷された用紙等を受けて積載する排紙装置が使用されている。このような排紙装置は、印刷された用紙を積載する排紙台と、排紙台の用紙排出方向下流側に設けられ、用紙の排出方向における位置を規制するエンドフェンスとを備えている。
【０００３】
特許文献１には、排紙収納装置が開示され、画像形成装置から排出された用紙の先端が衝突する位置に配される衝撃吸収部と、衝撃吸収部に衝突後、落下する用紙を受けて積載させる少なくとも使用時に傾斜して配される底板と、底板の傾斜して配されたときに低い方となる端部に設けられたエンドフェンスとを備えることが記載されている。
【０００４】
特許文献２には、排出される丁合物の下面側がスライドするガイド板を有し、このガイド板が用紙排出方向に対して排出下流に下方に傾斜する前後傾斜角を有し、且つ、ガイド板が用紙排出方向の直交方向に対して一方向に向かって下方に傾斜する左右傾斜角を有する一方、ガイド板の用紙排出方向の最下部に、用紙排出方向の直交方向に対して、左右傾斜の下方側に向かって用紙排出方向の下方に傾斜する前面ひねり角を有する用紙前端ストッパ壁を突設すると共に、ガイド板の用紙排出方向の直交方向の最下部に、用紙排出方向に対して前後傾斜の下方に向かって用紙排出方向の直交方向の上方に傾斜する側面ひねり角を有する用紙側端ストッパ壁を突設したことが記載されている。
【特許文献１】特開２０００−１９８６０６号公報
【特許文献２】特開２００２−６８５７５号公報
【発明の開示】
【発明が解決しようとする課題】
【０００５】
ところで、画像形成装置で画像形成される印刷媒体には、上述した印刷用紙だけでなくクラフト袋等に紐等のバンドを設けたバンド付き袋も使用される。図１０は、画像形成装置で画像形成されるバンド付き袋２００の概略構成を示す図である。バンド付き袋２００は、袋口２０２を有し、略矩形状に形成された袋本体２０４と、袋口２０２の周縁に設けられ、袋口２０２を締めるバンド２０６とを備えている。バンド２０６は、袋本体２０４の両端から袋幅方向Ｘに対して両方向に突出した突出部２０８、２０９を有している。また、袋底２１０は、袋本体２０４の中に入れられた内容物が漏れないようにシールされている。そして、画像形成装置でバンド付き袋２００に画像形成することにより、例えば、袋本体２０４に所定の画像が形成される。
【０００６】
画像形成装置から排出されたバンド付き袋２００は、画像形成装置の排出口近傍に置かれた袋積載装置等に積載される。図１１は、画像形成装置２２０から排出されたバンド付き袋２００が積載される様子を示す図であり、図１１（ａ）は、全体構成の概略図であり、図１１（ｂ）は、図１１（ａ）に示されたＡ方向から見た図である。画像形成装置２２０から排出されたバンド付き袋２００は、排袋台２２２の袋排出方向Ｔの下流側に設けられたフェンス２２４に突き当てられ、排袋台２２２に積載される。そして、図１１（ｂ）に示すように、バンド付き袋２００は、袋口２０２を袋排出方向Ｔに対して略直交方向Ｓに向けて排袋台２２２に積載される。
【０００７】
ここで、排袋台２２２に積載されたバンド付き袋２００において、袋排出方向Ｔの上流側に置かれたバンド２０６の突出部２０８が、画像形成装置２２０から排出されるバンド付き袋の搬送経路に入り込む場合がある。そのため、画像形成装置２２０から排出されたバンド付き袋は、排袋台２２２に積載されたバンド付き袋２００の突出部２０８と搬送中に接触して、バンド付き袋の揃えが悪くなる可能性がある。
【０００８】
そこで、本発明の目的は、画像形成装置から排出されるバンド付き袋を、より均一に位置を揃えて積載することができる袋積載装置を提供することである。
【課題を解決するための手段】
【０００９】
本発明に係る袋積載装置は、袋口を有する袋本体と、前記袋口の周縁に設けられ、前記袋口を締めるバンドと、を備え、前記バンドが前記袋口から前記袋本体の袋幅方向に対して両方向に突出した一対の突出部を有するバンド付き袋に、画像形成装置で画像を形成した後、前記画像形成装置から排出された前記バンド付き袋を積載する袋積載装置であって、袋排出方向に対して下流側を上流側より下方に傾斜させて配置され、前記バンド付き袋の袋口を袋排出方向に対して略直交方向に向けて前記バンド付き袋を載置する載置台と、前記載置台の袋排出方向に対して下流側に配置され、前記バンド付き袋を受ける第１受け面を有する第１受け部と、前記載置台の袋排出方向に対して下流側に配置され、前記バンド付き袋を受ける第２受け面を有する第２受け部と、を備え、前記第１受け部は、前記第２受け部より前記バンド付き袋の袋口側に設けられ、前記第２受け部より袋排出方向に対して下流側に配置されることを特徴とする。
【００１０】
本発明に係る袋積載装置は、前記載置台に設けられ、前記第１受け部を袋排出方向に対して略平行方向に移動させる第１移動手段と、前記載置台に設けられ、前記第２受け部を袋排出方向に対して略平行方向に移動させる第２移動手段と、を備えることを特徴とする。
【００１１】
本発明に係る袋積載装置は、前記第１移動手段は、前記載置台の袋排出方向に対して略平行方向に設けられ、外周面にねじが形成された第１ねじ軸と、前記第１ねじ軸に螺合して摺動し、前記第１受け部に取り付けられる第１摺動部材と、前記第１ねじ軸を回転駆動させて、前記第１摺動部材を摺動させる第１駆動体と、を有し、前記第２移動手段は、前記載置台の袋排出方向に対して略平行方向に設けられ、袋排出方向に対して略直交方向に前記第１ねじ軸と所定間隔で配置され、外周面にねじが形成された第２ねじ軸と、前記第２ねじ軸に螺合して摺動し、前記第２受け部に取り付けられる第２摺動部材と、前記第２ねじ軸を回転駆動させて、前記第２摺動部材を摺動させる第２駆動体と、を有することを特徴とする。
【００１２】
本発明に係る袋積載装置は、前記第１駆動体と、前記第２駆動体と、を制御する制御部を備え、前記制御部は、前記第１駆動体を制御して、前記第１ねじ軸を回転駆動させて前記第１摺動部材を摺動させ、前記第２駆動体を制御して、前記第２ねじ軸を回転駆動させて前記第２摺動部材を摺動させ、前記第１受け部を前記第２受け部より袋排出方向に対して下流側に配置させることを特徴とする。
【００１３】
本発明に係る袋積載装置は、前記第１受け面の面方向を、前記載置台に積載された前記バンド付き袋の傾斜方向と略同じ向きに補正する第１補正手段と、前記第２受け面の面方向を、前記載置台に積載された前記バンド付き袋の傾斜方向と略同じ向きに補正する第２補正手段と、を備えることを特徴とする。
【００１４】
本発明に係る袋積載装置は、袋口を有する袋本体と、前記袋口の周縁に設けられ、前記袋口を締めるバンドと、を備え、前記バンドが前記袋口から前記袋本体の袋幅方向に対して両方向に突出した一対の突出部を有するバンド付き袋に、画像形成装置で画像を形成した後、前記画像形成装置から排出された前記バンド付き袋を積載する袋積載装置であって、袋排出方向に対して下流側を上流側より下方に傾斜させて配置され、前記バンド付き袋の袋口を袋排出方向に対して略直交方向に向けて前記バンド付き袋を載置する載置台と、前記載置台の袋排出方向に対して下流側に配置され、前記バンド付き袋を受ける受け面を有する受け部と、を備え、前記受け面は、袋口側の一端を、前記バンド付き袋の袋口から前記一端より離間した他端より袋排出方向に対して下流側に位置して置かれることを特徴とする。
【発明の効果】
【００１５】
上記構成によれば、袋積載装置に積載されるバンド付き袋におけるバンドの袋排出方向上流側に置かれる突出部を、袋排出方向に対してより下流側に位置させることにより、バンドの突出部が画像形成装置から排出されるバンド付き袋の搬送経路に入り込むことを防止できるので、積載されたバンド付き袋のバンドと画像形成装置から排出されるバンド付き袋との接触が抑えられる。それにより、画像形成装置から排出されるバンド付き袋を、より均一に位置を揃えて積載することができる。
【発明を実施するための最良の形態】
【００１６】
以下に図面を用いて本発明の実施の形態について説明する。まず、袋積載装置を適用する画像形成装置について説明する。バンド付き袋２００に画像形成する画像形成装置には、例えば、印刷用紙等の印刷媒体に印刷する孔版印刷装置等を用いることができる。図１は、孔版印刷装置１０の概略構成を示す図である。孔版印刷装置１０は、原稿読み取り部１２と、製版部１４と、印刷部１６と、給紙部１８と、排紙部１９と、排版部２０と、を備えている。
【００１７】
原稿読み取り部１２は、印刷すべき原稿が載置される原稿セット台２２と、原稿セット台２２上の原稿の有無を検出する反射型の原稿センサ２４、２６と、原稿セット台２２の原稿を搬送する原稿搬送ロール２８、３０と、原稿搬送ロール２８を回転駆動させるステッピングモータ３２と、原稿搬送ロール２８、３０によって搬送される原稿の画像データを光学的に読み取り、これを電気信号に変換する密着型のイメージセンサ３４と、原稿セット台２２より排出される原稿を載置する原稿排出トレー３６とを有する。原稿セット台２２に載置された原稿が原稿搬送ロール２８，３０によって搬送され、この搬送される原稿の画像データをイメージセンサ３４が読み取る。
【００１８】
製版部１４は、ロールされた長尺状の孔版原紙３８を収容する原紙収容部４０と、原紙収容部４０の搬送下流に配置されたサーマルヘッド４２と、サーマルヘッド４２の対向位置に配置されたプラテンロール４４と、プラテンロール４４及びサーマルヘッド４２の搬送下流に配置された一対の原紙送りロール４６と、プラテンロール４４及び原紙送りロール４６を回転駆動させるライトパルスモータ４８と、一対の原紙送りロール４６の搬送下流に配置された原紙カッタ５０とを有する。
【００１９】
プラテンロール４４と原紙送りロール４６との回転により長尺状の孔版原紙３８を搬送し、イメージセンサ３４で読み取った画像データに基づきサーマルヘッド４２の各点状発熱体が選択的に発熱動作することにより孔版原紙３８に感熱穿孔して製版し、この製版された孔版原紙３８を原紙カッタ５０で切断して所定長さの孔版原紙３８を作製することができる。
【００２０】
印刷部１６は、メインモータ５２の駆動力により図１の矢印Ａ方向に回転するドラム５４と、ドラム５４の外周面に設けられ、孔版原紙３８の先端をクランプする原紙クランプ５６と、ドラム５４の外周面に孔版原紙３８が巻き付け装着されているか否かを検出する原紙確認センサ５８と、ドラムの基準位置を検出する基準位置検出センサ６０と、メインモータ５２の回転を検出するロータリエンコーダ６２とを有する。基準位置検出センサ６０の検出出力をもとにロータリエンコーダ６２の出力パルスを検出することによりドラム５４の回転位置を検出することができる。
【００２１】
印刷部１６は、ドラム５４の下方位置に配置されたプレスロール６４を有し、プレスロール６４は、ソレノイド装置６６の駆動力によってドラム５４の外周面に押圧する押圧位置と、ドラム５４の外周面から離間する待機位置との間で移動可能に構成される。プレスロール６４は、印刷モードの間（試し刷りを含む）にあっては押圧位置に常時位置され、印刷モード以外の間にあっては待機位置に位置される。製版部１４から搬送される孔版原紙３８の先端を原紙クランプ５６でクランプし、クランプした状態でドラム５４が回転し、孔版原紙３８がドラム５４の外周面に巻き付け装着される。
【００２２】
給紙部１８は、印刷媒体６８が置かれる給紙台７２と、印刷媒体６８をドラム５４の回転に同期してドラム５４とプレスロール６４との間に搬送する給紙ロール７４，７６と、印刷媒体６８に突き当てられるレジスト板７７と、を有する。レジスト板７７を下げた後、給紙ロール７４、７６を回転させて印刷媒体６８を搬送する。ドラム５４の回転に同期して給紙部１８より給紙される印刷媒体６８を、プレスロール６４でドラム５４に巻装された孔版原紙３８に押圧することによって、印刷媒体６８に孔版原紙３８の穿孔からインク７０が転写されて画像が印刷される。
【００２３】
排紙部１９は、印刷処理された印刷媒体６８をドラム５４から分離する分離爪７８と、分離爪７８によりドラム５４から離間された印刷媒体６８を搬送する排紙ロール８０、８２とを有している。
【００２４】
排版部２０は、ドラム５４の外周面よりクランプ解除された孔版原紙３８の先端を導き、導いた使用済みの孔版原紙３８をドラム５４より引き剥がしながら搬送する排版搬送手段８４と、排版搬送手段８４により搬送されてくる孔版原紙３８を収納する排版ボックス８６と、排版搬送手段８４により排版ボックス８６内に搬送されてきた孔版原紙３８を排版ボックス８６の奥に押し込む排版圧縮部材８８とを有している。
【００２５】
次に、袋積載装置１００について説明する。
【００２６】
袋積載装置１００は、図１に示すように、例えば、上述した孔版印刷装置１０等における排紙部１９の近傍に配置される。図２は、袋積載装置１００の概略構成を示す図である。袋積載装置１００は、孔版印刷装置１０等で画像形成されて排出されたバンド付き袋２００を載置する載置台１０２と、載置台１０２に設けられ、孔版印刷装置１０等から排出されたバンド付き袋２００を突き当てて受ける第１エンドフェンス１０４と第２エンドフェンス１０６とを備えている。なお、バンド付き袋２００は、上述した図１０に示す構成と同様のため、バンド付き袋２００についての詳細な説明は省略する。
【００２７】
載置台１０２は、孔版印刷装置１０等から排出されたバンド付き袋２００の袋排出方向Ｔに対して下流側を上流側より下方に傾斜させて配置され、バンド付き袋２００の袋口２０２を袋排出方向Ｔに対して略直交方向Ｓに向けてバンド付き袋２００を載置する機能を有している。また、載置台１０２は、合成樹脂や金属材料等で略矩形状に形成され、例えば、図示されない固定部材等により孔版印刷装置１０等に固定される。
【００２８】
載置台１０２は、後述するように、第１エンドフェンス１０４と第２エンドフェンス１０６とを袋排出方向Ｔに対して略平行方向に移動可能にするために、第１開口部１０８と第２開口部１１０とを有している。第１開口部１０８と第２開口部１１０とは、袋排出方向Ｔに対して略平行方向に細長く溝状に形成される。第１開口部１０８と第２開口部１１０とは、袋排出方向Ｔに対して略直交方向Ｓである載置台１０２の幅方向に所定間隔で設けられる。
【００２９】
第１エンドフェンス１０４と第２エンドフェンス１０６とは、載置台１０２の袋排出方向Ｔに対して下流側に配置され、孔版印刷装置１０等から排出されたバンド付き袋２００を受ける第１受け部と第２受け部としての機能を有している。第１エンドフェンス１０４と第２エンドフェンス１０６とは、袋排出方向Ｔに対して略直交方向Ｓである載置台１０２の幅方向に所定間隔で配置される。第１エンドフェンス１０４と第２エンドフェンス１０６とにより、バンド付き袋２００の袋排出方向Ｔに対する位置が規制される。
【００３０】
第１エンドフェンス１０４と第２エンドフェンス１０６とは、孔版印刷装置１０等から排出されたバンド付き袋２００を突き当てて受け止める第１フェンス面１１２と第２フェンス面１１４とを各々有しており、第１フェンス面１１２は第１受け面としての機能を備え、第２フェンス面１１４は第２受け面としての機能を備えている。第１フェンス面１１２と第２フェンス面１１４とは、孔版印刷装置１０等から排出されたバンド付き袋２００の損傷を防止するため、各々両端面を袋排出方向Ｔに対して下流側に折り曲げて形成した折り曲げ部１１６が設けられている。
【００３１】
第１エンドフェンス１０４は、第２エンドフェンス１０６よりバンド付き袋２００の袋口２０２側を受ける位置に置かれ、第２エンドフェンス１０６は、載置台に載置されるバンド付き袋２００の袋口２０２から第１エンドフェンス１０４より離間させて設けられる。また、第１エンドフェンス１０４は、第２エンドフェンス１０６より袋排出方向Ｔに対して下流側に配置される。
【００３２】
孔版印刷装置１０等から排出されたバンド付き袋２００は、第１フェンス面１１２と第２フェンス面１１４に突き当てられて受け止められる。第１エンドフェンス１０４は、第２エンドフェンス１０６より袋排出方向Ｔに対して下流側に置かれているので、袋排出方向Ｔに対して下流側を上流側より下方に傾斜させて配置された載置台１０２に載置されたバンド付き袋２００は、自重で袋底２１０より袋口２０２が袋排出方向Ｔに対して下流側に位置するように傾斜して載置される。そのため、袋排出方向Ｔに対して上流側に位置するバンド付き袋２００の突出部２０８は、袋排出方向Ｔに対してより下流側に位置する。それにより、孔版印刷装置１０等から排出されたバンド付き袋２００の搬送経路上に、載置台１０２に積載されたバンド付き袋２００の突出部２０８が位置することが抑えられるので、孔版印刷装置１０等から排出されたバンド付き袋２００と、載置台１０２に積載されたバンド付き袋２００の突出部２０８との接触を避けることができる。
【００３３】
また、より狭い袋幅のバンド付き袋２００を印刷する場合には、第１エンドフェンス１０４と第２エンドフェンス１０６とを袋排出方向Ｔに対してより上流側に置くとともに、第１エンドフェンス１０４を第２エンドフェンス１０６より袋排出方向Ｔに対して下流側に配置させることが好ましい。第１エンドフェンス１０４と第２エンドフェンス１０６とを袋排出方向Ｔに対してより上流側に置くことにより、孔版印刷装置１０等から排出されるバンド付き袋２００の搬送速度の低下を抑えることができるからである。
【００３４】
袋積載装置１００は、第１エンドフェンス１０４を袋排出方向Ｔに対して略平行方向に移動させる第１移動手段と、第２エンドフェンス１０６を袋排出方向Ｔに対して略平行方向に移動させる第２移動手段とを備えている。図３は、第１移動手段と第２移動手段との概略構成を示す図である。
【００３５】
第１移動手段は、第１開口部１０８の下方であって、載置台１０２の袋排出方向Ｔに対して略平行方向に設けられ、外周面にねじが形成された第１ねじ軸１１８と、第１ねじ軸１１８に螺合して摺動し、第１エンドフェンス１０４に取り付けられる第１スライダ１２０と、第１ねじ軸１１８を回転駆動させて第１スライダ１２０を袋排出方向Ｔに対して略平行方向にスライドさせる第１回転モータ１２２と、を有している。また、第１移動手段には、第１スライダ１２０の初期位置を検知する第１ホームポジションセンサ１２４を設けてもよい。
【００３６】
第２移動手段は、第２開口部１１０の下方であって、載置台１０２の袋排出方向Ｔに対して略平行方向に設けられ、外周面にねじが形成された第２ねじ軸１２６と、第２ねじ軸１２６に螺合して摺動し、第２エンドフェンス１０６に取り付けられる第２スライダ１２８と、第２ねじ軸１２６を回転駆動させて第２スライダ１２８を袋排出方向Ｔに対して略平行方向にスライドさせる第２回転モータ１３０と、を有している。また、第２移動手段には、第２スライダ１２８の初期位置を検知する第２ホームポジションセンサ１３２を設けてもよい。
【００３７】
図４は、第１移動手段の詳細な構成を示す図である。なお、第２移動手段は第１移動手段と同様な構成であるため、第１移動手段について説明し、第２移動手段についての詳細説明は省略する。
【００３８】
第１ねじ軸１１８は、載置台１０２におけるバンド付き袋２００の載置面と反対側である下面側に、第１開口部１０８の両端縁に設けられた支持部材１３４、１３６に回転可能に支持される。第１ねじ軸１１８は、例えば、略円柱軸状に形成され、外周面には雄ねじ等の送りねじが形成される。
【００３９】
第１スライダ１２０は、第１ねじ軸１１８に螺合して摺動し、第１エンドフェンス１０４に取り付けられる第１摺動部材としての機能を有している。第１スライダ１２０は、例えば、略直方体状に形成され、第１ねじ軸１１８の外周面に形成された雄ネジと螺合する雌ねじが内周面に形成された中空部を有している。第１スライダ１２０は第１エンドフェンス１０４に取り付けられ、第１スライダ１２０が第１ねじ軸１１８と螺合して摺動することにより、第１エンドフェンス１０４が袋排出方向Ｔに対して略平行方向に移動することができる。第１ねじ軸１１８と第１スライダ１２０とには、例えば、ボールねじ伝達機構等が用いられる。
【００４０】
図５は、第１エンドフェンス１０４と第１スライダ１２０との取付方法を示す図であり、図５（ａ）は、取付構造の詳細を示す図であり、図５（ｂ）は、第１エンドフェンス１０４を移動させる様子を示す図である。図５（ａ）に示すように、第１スライダ１２０は、例えば、第１エンドフェンス１０４の下部に設けられる凹部１３８に嵌めこまれて取り付けられる。また、第１エンドフェンス１０４における凹部１３８の周縁に設けられる突設部１４０と第１スライダ１２０とをピン１４２でピン結合することにより、図５（ｂ）に示すように第１エンドフェンス１０４を傾斜させて移動させることができる。
【００４１】
再び、図４に戻り、第１回転モータ１２２は、載置台１０２の下面に設けられた一方の支持部材１３６に取り付けられ、第１ねじ軸１１８を軸回転させる第１駆動体としての機能を有している。第１回転モータ１２２の回転軸と、第１ねじ軸１１８の一端とは、ベルト１４４等で連結され、第１回転モータ１２２の回転動力がベルト１４４を介して第１ねじ軸１１８に伝達される。それにより、第１ねじ軸１１８が軸回転して、第１スライダ１２０が第１ねじ軸１１８を摺動する。第１回転モータ１２２には、一般的な回転モータ等を使用することができる。
【００４２】
第１ホームポジションセンサ１２４は、支持部材１３６に設けられ、第１スライダ１２０の初期位置を検知する機能を有している。第１ホームポジションセンサ１２４には、一般的なポジションセンサを用いることができる。
【００４３】
袋積載装置１００は、第１フェンス面１１２の面方向を、載置台１０２に積載されたバンド付き袋２００の傾斜方向と略同じ向きに補正する第１補正手段と、第２フェンス面１１４の面方向を、載置台１０２に積載されたバンド付き袋２００の傾斜方向と略同じ向きに補正する第２補正手段と、を備えていてもよい。図６は、第１補正手段の概略構成を示す図であり、図６（ａ）は、載置台１０２の載置面側から見た図であり、図６（ｂ）は、載置台１０２の下面側から見た図である。なお、第２補正手段は第１補正手段と同様な構成であるため、第１補正手段について説明し、第２補正手段についての詳細説明は省略する。
【００４４】
第１補正手段は、第１スライダ１２０の挿入孔に挿入されて第１エンドフェンス１０４に取り付けられる軸体１４６と、軸体１４６を取り付ける軸体取付部材１４８と、第１スライダ１２０と軸体取付部材１４８とに対向して連結される一対のばね１５０とを有している。軸体１４６は、一端が軸体取付部材１４８に嵌めこまれて取付られ、他端は、第１スライダ１２０の挿入孔に挿入され第１エンドフェンス１０４に取り付けられる。軸体取付部材１４８は、一対のばね１５０により第１スライダ１２０と摺動可能に取り付けられる。
【００４５】
載置台１０２に積載されたバンド付き袋２００は、自重により袋口２０２を袋底２１０より袋排出方向Ｔに対して下流側に傾斜して載置されるので、第１フェンス面１１２の面方向がバンド付き袋２００の傾斜方向と略一致するようにばね１５０の付勢力に抗して軸体１４６が回転する。これにより、第１フェンス面１１２は、バンド付き袋２００をより面接触させて受けることができるので、より安定してバンド付き袋２００を載置台１０２に積載することができる。なお、積載されたバンド付き袋２００を載置台１０２から取り除いた後は、一対のばね１５０の弾性力により軸体１４６が逆回転し、第１フェンス面１１２の向きが初期状態に復帰する。
【００４６】
制御部１５２は、第１回転モータ１２２と第２回転モータ１３０とを制御する機能を有している。図７は、袋積載装置１００のブロック図である。制御部１５２は、第１回転モータ駆動回路１５４により第１回転モータ１２２を制御して第１エンドフェンス１０４を移動させ、第２回転モータ駆動回路１５６により第２回転モータ１３０を制御して第２エンドフェンス１０６を移動させることができる。また、制御部１５２は、第１ホームポジションセンサ１２４と第２ホームポジションセンサ１３２とから出力される電気信号等に基づいて、第１回転モータ１２２と第２回転モータ１３０との駆動停止を制御することができる。制御部１５２は、例えば、一般的なパーソナルコンピュータ等で構成される。
【００４７】
制御部１５２は、第１回転モータ１２２と第２回転モータ１３０とを、記憶部１５８に記憶された動作手順に従って動作させることができる。記憶部１５８は、例えば、ハードディスク、ＲＡＭまたはＲＯＭ等で構成される。制御部１５２は、入力部１６０における袋サイズ情報、袋形態情報等の入力により第１回転モータ１２２と第２回転モータ１３０とを制御して、第１エンドフェンス１０４と第２エンドフェンス１０６との位置決めを行うことができる。入力部１６０は、例えば、操作パネルやキーボード等で構成される。制御部１５２は、出力部１６２により孔版印刷装置１０等から排出されたバンド付き袋２００の積載作業の進捗状況等を出力させることができる。出力部１６２は、例えば、ディスプレイ等で構成することができる。
【００４８】
次に、袋積載装置１００の動作について説明する。
【００４９】
図８は、袋積載装置１００の動作方法を示すフローチャートである。まず、入力部１６０により孔版印刷装置１０等で印刷されるバンド付き袋２００の枚数を入力し（Ｓ１０）、印刷されるバンド付き袋２００の枚数を確認する（Ｓ１２）。バンド付き袋２００の枚数が入力されていない場合や入力されたバンド付き袋２００の枚数に誤りがある場合には、Ｓ１０に戻り再度入力する。
【００５０】
孔版印刷装置１０等で印刷されるバンド付き袋２００の枚数が正しく入力されている場合には、入力部１６０によりバンド付き袋２００の袋サイズ情報と、袋形態情報とを入力し（Ｓ１４）、印刷されるバンド付き袋２００の袋サイズ情報と袋形態情報とを確認する（Ｓ１６）。バンド付き袋２００の袋サイズ情報と袋形態情報とが入力されていない場合や入力に誤りがある場合には、Ｓ１４に戻り再度入力する。
【００５１】
次に、制御部１５２により、第１回転モータ１２２を駆動制御して第１エンドフェンス１０４を移動させ、第２回転モータ１３０を駆動制御して第２エンドフェンス１０６を移動させる（Ｓ１８）。制御部１５２は、第１回転モータ１２２を正転駆動させることにより第１ねじ軸１１８を正転させて第１スライダ１２０を初期位置から袋排出方向Ｔに対して上流側へ摺動させて第１エンドフェンス１０４を移動させる。同様にして、制御部１５２は、第２回転モータ１３０を正転駆動させることにより第２ねじ軸１２６を正転させて第２スライダ１２８を初期位置から袋排出方向Ｔに対して上流側へ摺動させて第２エンドフェンス１０６を移動させる。
【００５２】
また、制御部１５２は、第１エンドフェンス１０４が第２エンドフェンス１０６よりも袋排出方向Ｔに対して下流側に位置するように第１回転モータ１２２と第２回転モータ１３０とを駆動制御する。第１回転モータ１２２と第２回転モータ１３０との駆動量等は、Ｓ１６で入力された袋サイズ情報または袋形態情報等で決定される。
【００５３】
次に、孔版印刷装置１０等でバンド付き袋２００に所定の画像が印刷され、孔版印刷装置１０等から排出されたバンド付き袋２００が、載置台１０２に載置される（Ｓ２０）。ここで、図９は、載置台１０２に載置されたバンド付き袋２００のポジションを示す図であり、図９（ａ）は、標準サイズのバンド付き袋２００のポジションを示す図であり、図９（ｂ）は、標準サイズのバンド付き袋２００より袋幅の狭いバンド付き袋２００のポジションを示す図である。なお、図中の破線は、載置台１０２に載置されたバンド付き袋２００の従来のポジションを示している。
【００５４】
図９（ａ）に示すように、第１エンドフェンス１０４は、第２エンドフェンス１０６より袋排出方向Ｔに対して下流側に配置されるので、孔版印刷装置１０等から排出されたバンド付き袋２００は、袋口２０２が袋底２１０より袋排出方向Ｔに対して下流側に位置するように、袋排出方向Ｔに対して略直交方向Ｓに傾斜して積載される。そのため、バンド付き袋２００の突出部２０８の位置は、袋排出方向Ｔに対して下流側に下がる。それにより、孔版印刷装置１０等から排出されたバンド付き袋２００の搬送面上に、載置台１０２に積載されたバンド付き袋２００の突出部２０８が位置することが抑えられる。その結果、孔版印刷装置１０等から排出されたバンド付き袋２００と、載置台１０２に積載されたバンド付き袋２００のバンド２０６との接触等による干渉が抑制され、孔版印刷装置１０等から排出されたバンド付き袋２００は、より均一に位置を揃えて載置台１０２に載置される。
【００５５】
また、図９（ｂ）に示すように、袋幅の狭いバンド付き袋２００を積載する場合には、制御部１５２は、第１回転モータ１２２と第２回転モータ１３０とを駆動させて、第１エンドフェンス１０４と第２エンドフェンス１０６とを袋排出方向Ｔに対してより上流側へ移動させる。第１エンドフェンス１０４と第２エンドフェンス１０６とを袋排出方向に対してより上流側に移動させるのは、孔版印刷装置１０等から第１エンドフェンス１０４と第２エンドフェンス１０６とまでの搬送経路をより短くすることにより、バンド付き袋２００の搬送速度を低下させずに載置台１０２に載置できるからである。制御部１５２は、第１エンドフェンス１０４と第２エンドフェンス１０６とを袋排出方向Ｔに対して更に上流側に近づけた状態で、第１エンドフェンス１０４を第２エンドフェンス１０６より袋排出方向Ｔに対して下流側に配置するように制御することにより、上述したように、孔版印刷装置１０等から排出されたバンド付き袋２００と、載置台１０２に積載されたバンド付き袋２００の突出部２０８との接触を抑えることができる。
【００５６】
再び、図８に戻り、積載されたバンド付き袋２００を載置台１０２から取り出した後、制御部１５２は、第１回転モータ１２２と第２回転モータ１３０とを逆転駆動させて、第１エンドフェンス１０４と第２エンドフェンス１０６とを初期位置まで移動させる（Ｓ２２）。そして、第１エンドフェンス１０４と第２エンドフェンス１０６とが初期位置まで戻ると、第１スライダ１２０が第１ホームポジションセンサ１２４で検知されて第１回転モータ１２２の駆動が停止し、第２スライダ１２８が第２ホームポジションセンサ１３２で検知されて第２回転モータ１３０の駆動が停止する（Ｓ２４）。以上により、孔版印刷装置１０等から排出されたバンド付き袋２００の積載作業が完了する。
【００５７】
上記構成によれば、第１エンドフェンスは、第２エンドフェンスより袋排出方向に対して下流側に配置されるので、孔版印刷装置等から排出されたバンド付き袋が載置台に載置されるとき、バンド付き袋は、袋口が袋底よりも袋排出方向に対して下流側になるように傾斜した状態で載置される。そのため、バンド付き袋の袋本体から袋排出方向に対して上流側に突出したバンドの突出部の位置が、袋排出方向に対して下流側に下がるので、孔版印刷装置等から排出されたバンド付き袋と、載置台に積載されたバンド付き袋のバンドとの接触等による干渉が抑制される。その結果、孔版印刷装置等から排出されたバンド付き袋を、より均一に位置を揃えて載置台に積載することができる。
【００５８】
上記構成によれば、第１エンドフェンスと第２エンドフェンスとは、袋排出方向に対して略平行方向に移動可能に設けられるので、バンド付き袋の袋サイズ等が異なる場合でも、第１エンドフェンスと第２エンドフェンスとの位置を調整することができる。
【００５９】
上記構成によれば、第１エンドフェンスの第１フェンス面と、第２エンドフェンスの第２フェンス面との面方向を、載置台に積載されたバンド付き袋の傾斜方向と略同じ向きとなるように補正することができるので、第１フェンス面と第２フェンス面とは、バンド付き袋をより面接触させて受けることができる。それにより、バンド付き袋をより安定して載置台に積載することができる。
【００６０】
上記構成によれば、バンド付き袋を自由落下方式により積載する場合でも、バンド付き袋の排出速度増加による飛び出しや排出速度不足によるバンド付き袋の不揃いの発生を防止することができる。
【００６１】
上記構成によれば、バンド付き袋の一方の突出部から他方の突出部までの長さが、載置台における袋排出方向Ｔに対する上流側から下流側までの長さより長い場合でも、載置台における載置面の面積増加を抑えて、より簡易な構成でバンド付き袋をより均一に積載することができるので装置コストの増加が抑制される。
【００６２】
なお、上記構成では、第１エンドフェンスを第２エンドフェンスより袋排出方向に対して下流側に配置させてバンド付き袋の袋口を袋底よりも袋排出方向に対して下流側に傾斜させたが、１体のエンドフェンスを載置台の袋排出方向に対して下流側に設けて、孔版印刷装置等から排出されたバンド付き袋を上記と同様にして傾斜させて載置台に載置させてもよい。
【００６３】
上記の場合には、エンドフェンスは、袋口側のフェンス面一端を、バンド付き袋の袋口からフェンス面一端より離間した袋底側のフェンス面他端より袋排出方向に対して下流側に位置するように載置台に設けられる。孔版印刷装置等から排出されたバンド付き袋は、エンドフェンスのフェンス面に突き当てられるとフェンス面の面方向に沿って傾斜して載置台に載置されるので、バンド付き袋の袋口を袋底よりも袋排出方向に対して下流側に傾斜させて載置台に載置することができる。
【００６４】
以上により、バンド付き袋の袋本体から袋排出方向に対して上流側に突出した突出部の位置が、袋排出方向に対して下流側に下がるので、孔版印刷装置等から排出されたバンド付き袋と、載置台に積載されたバンド付き袋のバンドとの接触等の干渉が抑制される。それにより、孔版印刷装置等から排出されたバンド付き袋を、より均一に位置を揃えて載置台に載置することができる。
【図面の簡単な説明】
【００６５】
【図１】本発明の実施の形態において、孔版印刷装置の概略構成を示す図である。
【図２】本発明の実施の形態において、袋積載装置の概略構成を示す図である。
【図３】本発明の実施の形態において、第１移動手段と第２移動手段との概略構成を示す図である。
【図４】本発明の実施の形態において、第１移動手段の詳細な構成を示す図である。
【図５】本発明の実施の形態において、第１エンドフェンスと第１スライダとの取付方法を示す図である。
【図６】本発明の実施の形態において、第１補正手段の概略構成を示す図である。
【図７】本発明の実施の形態において、袋積載装置のブロック図である。
【図８】本発明の実施の形態において、袋積載装置の動作方法を示すフローチャートである。
【図９】本発明の実施の形態において、載置台に載置されたバンド付き袋のポジションを示す図である。
【図１０】画像形成装置で画像形成されるバンド付き袋の概略構成を示す図である。
【図１１】画像形成装置から排出されたバンド付き袋が積載される様子を示す図である。
【符号の説明】
【００６６】
１０  孔版印刷装置
１２  原稿読み取り部
１４  製版部
１６  印刷部
１８  給紙部
１９  排紙部
２０  排版部
２２  原稿セット台
２４、２６  原稿センサ
２８、３０  原稿搬送ロール
３２  ステッピングモータ
３４  イメージセンサ
３６  原稿排出トレー
３８  孔版原紙
４０  原紙収容部
４２  サーマルヘッド
４４  プラテンロール
４６  原紙送りロール
４８  ライトパルスモータ
５０  原紙カッタ
５２  メインモータ
５４  ドラム
５６  原紙クランプ部
５８  原紙確認センサ
６０  基準位置検出センサ
６２  ロータリエンコーダ
６４  プレスロール
６６  ソレノイド装置
６８  印刷媒体
７０  インク
７２  給紙台
７４、７６  給紙ロール
７７  レジスト板
７８  用紙分離爪
８０、８２  排紙ロール
８４  排版搬送手段
８６  排版ボックス
８８  排版圧縮部材
１００  袋積載装置
１０２  載置台
１０４  第１エンドフェンス
１０６  第２エンドフェンス
１０８  第１開口部
１１０  第２開口部
１１２  第１フェンス面
１１４  第２フェンス面
１１６  折り曲げ部
１１８  第１ねじ軸
１２０  第１スライダ
１２２  第１回転モータ
１２４  第１ホームポジションセンサ
１２６  第２ねじ軸
１２８  第２スライダ
１３０  第２回転モータ
１３２  第２ホームポジションセンサ
１３４、１３６  支持部材
１３８  凹部
１４０  突設部
１４２  ピン
１４４  ベルト
１４６  軸体
１４８  軸体取付部材
１５０  ばね
１５２  制御部
１５４  第１回転モータ駆動回路
１５６  第２回転モータ駆動回路
１５８  記憶部
１６０  入力部
１６２  出力部
２００  バンド付き袋
２０２  袋口
２０４  袋本体
２０６  バンド
２０８、２０９  突出部
２１０  袋底
２２０  画像形成装置
２２２  排袋台
２２４  フェンス
【図１】
2009256072.tif 000003
【図２】
2009256072.tif 000004
【図３】
2009256072.tif 000005
【図４】
2009256072.tif 000006
【図５】
2009256072.tif 000007
【図６】
2009256072.tif 000008
【図７】
2009256072.tif 000009
【図８】
2009256072.tif 000010
【図９】
2009256072.tif 000011
【図１０】
2009256072.tif 000012
【図１１】
2009256072.tif 000013